(57)【要約】【課題】重要度の高い画像情報をデジタルカメラの記憶手段に残し、且つデジタルカメラの記憶手段の空き記憶容量をより多く確保する。【解決手段】デジタルカメラ１０のメモリカード４８に記憶された画像情報は、パソコン５２に転送されＨＤＤ６０に記憶されるが、メモリカード４８に記憶された画像情報のうち、ＬＣＤ４４に表示させた累計表示時間の長い画像情報ほど重要度の高い画像情報であるとされメモリカード４８に残される。【選択図】図５
2008244873.tif 000002
【特許請求の範囲】
【請求項１】
被写体を撮影して被写体像を示す画像情報を取得する撮影手段、前記撮影手段により取得された前記画像情報を記憶する第１の記憶手段、前記画像情報を表示する表示手段、前記第１の記憶手段によって記憶された前記画像情報により示される被写体像の重要度を示す重要度情報を前記第１の記憶手段に記憶された画像情報毎に取得する重要度取得手段、及び前記第１の記憶手段に記憶された前記画像情報と前記重要度情報とを外部に出力する出力手段を備えるデジタルカメラと、
前記出力手段から出力された前記画像情報及び前記重要度情報を入力する入力手段、前記入力手段により入力された前記画像情報を記憶する第２の記憶手段、及び前記第１の記憶手段に記憶された前記画像情報のうち、少なくとも前記重要度情報が所定値以下である画像情報を前記第１の記憶手段から削除させ、少なくとも当該削除させた画像情報を前記第２の記憶手段に記憶させるように制御する制御手段を備える情報処理装置と、
を有する画像管理システム。
【請求項２】
前記重要度情報は、前記表示手段に表示された前記画像情報の累計表示時間であることを特徴とする請求項１記載の画像管理システム。
【請求項３】
前記デジタルカメラに、前記第１の記憶手段に記憶されている前記画像情報のうち少なくとも１つに対し、該第１の記憶手段に残すことを示す指示情報を前記重要度情報として設定する設定手段を更に備え、前記制御手段は、前記指示情報が設定されていない画像情報を前記第１の記憶手段から削除することを特徴とする請求項１記載の画像管理システム。
【請求項４】
前記重要度情報は、対応する前記画像情報とその前に取得された画像情報との取得時間間隔、対応する前記画像情報に対する人物の顔の個数、顔の大きさ、及び正面を向いている顔の個数、対応する前記画像情報により示される被写体像のピントのずれの度合、の少なくとも一つに基づいて前記第１の記憶手段に記憶された前記画像情報毎に付加された点数であることを特徴とする請求項１記載の画像管理システム。
【請求項５】
前記第１の記憶手段に残された画像情報を、予め定められた画像サイズに縮小する縮小手段を更に備えることを特徴とする請求項１〜請求項４の何れか１項記載の画像管理システム。
【請求項６】
前記第１の記憶手段に記憶された画像情報が、前記第１の記憶手段から削除されないように設定する削除防止設定手段を更に備えることを特徴とする請求項１〜請求項５の何れか１項記載の画像管理システム。
【請求項７】
被写体を撮影して被写体像を示す画像情報を取得する撮影手段と、
前記撮影手段により取得された前記画像情報を記憶する第１の記憶手段と、
前記第１の記憶手段に記憶された前記画像情報を外部に出力する出力手段と、
前記第１の記憶手段によって記憶された前記画像情報により示される被写体像の重要度を示す重要度情報を前記第１の記憶手段に記憶された画像情報毎に取得する重要度取得手段と、
前記第１の記憶手段に記憶された前記画像情報のうち、少なくとも前記重要度情報が所定値以下である画像情報を前記第１の記憶手段から削除させ、少なくとも当該削除させた画像情報を外部に設けられた第２の記憶手段へ、前記出力手段により出力させるように制御する制御手段と、
を備えるデジタルカメラ。
【請求項８】
被写体を撮影して第１の記憶手段に記憶された画像情報により示される被写体像の重要度を示す重要度情報を、前記第１の記憶手段に記憶された画像情報毎に取得し、
前記第１の記憶手段に記憶された前記画像情報のうち、少なくとも前記重要度情報が所定値以下である画像情報を前記第１の記憶手段から削除させ、少なくとも当該削除させた画像情報を第２の記憶手段に記憶させる
画像管理方法。
【請求項９】
被写体を撮影して第１の記憶手段に記憶された画像情報により示される被写体像の重要度を示す重要度情報を、前記第１の記憶手段に記憶された画像情報毎に取得する取得ステップと、
前記第１の記憶手段に記憶された前記画像情報のうち、少なくとも前記重要度情報が所定値以下である画像情報を前記第１の記憶手段から削除させ、少なくとも当該削除させた画像情報を第２の記憶手段に記憶させる記憶ステップと、
をコンピュータに実行させる画像管理プログラム。
【発明の詳細な説明】
【技術分野】
【０００１】
本発明は、画像管理システム、デジタルカメラ、画像管理方法、及び画像管理プログラムに係り、特に、デジタルカメラに記憶された画像情報を情報処理装置に出力する画像管理システム、デジタルカメラ、画像管理方法、及び画像管理プログラムに関する。
【背景技術】
【０００２】
ＣＣＤ（Ｃｈａｒｇｅ  Ｃｏｕｐｌｅｄ  Ｄｅｖｉｃｅ）等の撮影素子を用いて画像の撮影を行い、撮影画像に応じた画像情報を生成する撮影装置として、デジタルスチルカメラやデジタルビデオカメラが普及している。デジタルスチルカメラ（以下、デジタルカメラとする。）等では、被写体を撮影した撮影画像の画像情報を、例えば可搬式のメモリカード等の記憶媒体に記憶する。
【０００３】
ここで、デジタルカメラのメモリカードの記憶容量は画像情報を多量に記憶するには十分でない。そのため、画像情報は、メモリカードの空き記憶容量を確保するため、例えばパソコンが有するＨＤＤ（Ｈａｒｄ  Ｄｉｓｋ  Ｄｒｉｖｅ）等の記憶装置に送信され、削除される。
【０００４】
しかし、デジタルカメラは持ち運びができるため、デジタルカメラのユーザは過去の撮影で取得された画像情報を後日デジタルカメラで確認する必要性が生じる場合がある。この場合、デジタルカメラで取得された画像情報を全てパソコン等の記憶媒体に記憶させ、その都度デジタルカメラから画像情報を削除してしまうとユーザはデジタルカメラで確認することができなくなる、という問題があった。
【０００５】
この問題を解消する技術として特許文献１には、デジタルカメラの記憶媒体に記憶されている画像情報で外部の記憶装置に送信されたもののうち、撮影日時の古い順にデジタルカメラの記憶媒体から削除する技術が開示されている。
【０００６】
また、特許文献２には、画像情報の表示回数、印刷回数、または転送回数等に基づいて画像情報を評価し、評価結果に応じて画像情報の削除及び、圧縮を含む画像管理を行う技術が開示されている。
【特許文献１】特開２００４−１４７２３４公報
【特許文献２】特解２００６−２２９４４４公報
【発明の開示】
【発明が解決しようとする課題】
【０００７】
しかしながら、特許文献１に開示されている技術では、画像情報が撮影日時に応じて一義的にデジタルカメラから削除されてしまうため、重要度の高い画像情報も削除されてしまう場合がある。また、特許文献２に開示されている技術では、評価の低い画像情報は、外部の記憶媒体への送信の有無は関係なく削除されてしまう可能性がある。
【０００８】
本発明は上記問題点を解決するためになされたものであり、重要度の高い画像情報をデジタルカメラの記憶手段に残し、且つデジタルカメラの記憶手段の空き記憶容量をより多く確保できる画像管理システム、デジタルカメラ、画像管理方法、及び画像管理プログラムを提供することが目的である。
【課題を解決するための手段】
【０００９】
上記目的を達成するために、請求項１の発明は、被写体を撮影して被写体像を示す画像情報を取得する撮影手段、前記撮影手段により取得された前記画像情報を記憶する第１の記憶手段、前記画像情報を表示する表示手段、前記第１の記憶手段によって記憶された前記画像情報により示される被写体像の重要度を示す重要度情報を前記第１の記憶手段に記憶された画像情報毎に取得する重要度取得手段、及び前記第１の記憶手段に記憶された前記画像情報と前記重要度情報とを外部に出力する出力手段を備えるデジタルカメラと、前記出力手段から出力された前記画像情報を入力する入力手段、前記入力手段により入力された前記画像情報を記憶する第２の記憶手段、及び前記第１の記憶手段に記憶された前記画像情報のうち、少なくとも前記重要度情報が所定値以下である画像情報を前記第１の記憶手段から削除させ、少なくとも当該削除させた画像情報を前記第２の記憶手段に記憶させるように制御する制御手段を備える情報処理装置と、を有する。
【００１０】
請求項１に記載の画像管理システムによれば、デジタルカメラが、撮影手段により被写体を撮影して被写体像を示す画像情報を取得し、第１の記憶手段により撮影手段により取得された前記画像情報を記憶し、重要度取得手段により第１の記憶手段によって記憶された画像情報により示される被写体像の重要度を示す重要度情報を第１の記憶手段に記憶された画像情報毎に取得し、出力手段により第１の記憶手段に記憶された画像情報と重要度情報とを情報処理装置に出力する。
【００１１】
そして、情報処理装置が、入力手段によりデジタルカメラの出力手段から出力された画像情報及び重要度情報を入力し、制御手段により第１の記憶手段に記憶された画像情報のうち、少なくとも重要度情報が所定値以下である画像情報を第１の記憶手段から削除させ、少なくとも当該削除させた画像情報を第２の記憶手段に記憶させるように制御する。
【００１２】
このように、請求項１に記載の画像管理システムによれば、デジタルカメラの第１の記憶手段に記憶された画像情報のうち、重要度情報が所定値以下の画像情報を第１の記憶手段から削除するので、重要度の高い画像情報を第１の記憶手段に残すことができ、且つ第１の記憶手段の空き記憶容量をより多く確保することができる。
【００１３】
なお、本発明は、請求項２に記載の発明のように、前記重要度情報を、前記表示手段に表示された前記画像情報の累計表示時間としてもよい。したがって、表示手段に表示された累計表示時間が、例えば長い画像情報を重要度の高い画像情報として第１の記憶手段に残すことができ、且つデジタルカメラの記憶手段の空き記憶容量をより多く確保できる。
【００１４】
また、本発明は、請求項３に記載の発明のように、前記デジタルカメラに、前記第１の記憶手段に記憶されている前記画像情報のうち少なくとも１つに対し、該第１の記憶手段に残すことを示す指示情報を前記重要度情報として設定する設定手段を更に備え、前記制御手段は、前記指示情報が設定されていない画像情報を前記第１の記憶手段から削除するとしてもよい。したがって、指示情報が設定されている画像情報を重要度の高い画像情報として第１の記憶手段に残すことができ、且つデジタルカメラの記憶手段の空き記憶容量をより多く確保できる。
【００１５】
また、本発明は、請求項４に記載の発明のように、前記重要度情報を、対応する前記画像情報とその前に取得された画像情報との取得時間間隔、対応する前記画像情報に対する人物の顔の個数、顔の大きさ、及び正面を向いている顔の個数、対応する前記画像情報により示される被写体像のピントのずれの度合、の少なくとも一つに基づいて前記第１の記憶手段に記憶された前記画像情報毎に付加された点数であるとしても良い。したがって、画像情報毎に付加された点数が、例えば高い画像情報ほど重要度の高い画像情報として第１の記憶手段に残すことができ、且つデジタルカメラの記憶手段の空き記憶容量をより多く確保できる。
【００１６】
また、本発明は、請求項５に記載の発明のように、前記第１の記憶手段に残された画像情報を、予め定められた画像サイズに縮小する縮小手段を更に備えることとしても良い。したがって、重要度の高い画像情報を第１の記憶手段に残しても、第１の記憶手段の空き記憶容量をより多く確保することができる。
【００１７】
また、本発明は、請求項６に記載の発明のように、前記第１の記憶手段に記憶された画像情報が、前記第１の記憶手段から削除されないように設定する削除防止設定手段を更に備えることとしても良い。したがって、第１の記憶手段に記憶された重要度の高い画像情報を間違えて削除することを防ぐことができる。
【００１８】
一方、上記目的を達成するために、請求項７の発明は、被写体を撮影して被写体像を示す画像情報を取得する撮影手段と、前記撮影手段により取得された前記画像情報を記憶する第１の記憶手段と、前記第１の記憶手段に記憶された前記画像情報を外部に出力する出力手段と、前記第１の記憶手段によって記憶された前記画像情報により示される被写体像の重要度を示す重要度情報を前記第１の記憶手段に記憶された画像情報毎に取得する重要度取得手段と、前記第１の記憶手段に記憶された前記画像情報のうち、少なくとも前記重要度情報が所定値以下である画像情報を前記第１の記憶手段から削除させ、少なくとも当該削除させた画像情報を外部に設けられた第２の記憶手段へ、前記出力手段により出力させるように制御する制御手段と、を備えることを特徴とする。
【００１９】
従って、請求項７に記載のデジタルカメラによれば、請求項１に記載の発明と同様に作用するので、請求項１に記載の発明と同様に、重要度の高い画像情報をデジタルカメラの記憶手段に残し、且つデジタルカメラの記憶手段の空き記憶容量をより多く確保することができる。
【００２０】
一方、上記目的を達成するために、請求項８の発明は、被写体を撮影して第１の記憶手段に記憶された画像情報により示される被写体像の重要度を示す重要度情報を、前記第１の記憶手段に記憶された画像情報毎に取得し、前記第１の記憶手段に記憶された前記画像情報のうち、少なくとも前記重要度情報が所定値以下である画像情報を前記第１の記憶手段から削除させ、少なくとも当該削除させた画像情報を第２の記憶手段に記憶させることを特徴とする。
【００２１】
従って、請求項８に記載の画像管理方法によれば、請求項１に記載の発明と同様に作用するので、請求項１に記載の発明と同様に、重要度の高い画像情報をデジタルカメラの記憶手段に残し、且つデジタルカメラの記憶手段の空き記憶容量をより多く確保することができる。
【００２２】
一方、上記目的を達成するために、請求項９の発明は、被写体を撮影して第１の記憶手段に記憶された画像情報により示される被写体像の重要度を示す重要度情報を、前記第１の記憶手段に記憶された画像情報毎に取得する取得ステップと、前記第１の記憶手段に記憶された前記画像情報のうち、少なくとも前記重要度情報が所定値以下である画像情報を前記第１の記憶手段から削除させ、少なくとも当該削除させた画像情報を第２の記憶手段に記憶させる記憶ステップと、をコンピュータに実行させることを特徴とする。
【００２３】
従って、請求項９に記載の画像管理プログラムによれば、請求項１に記載の発明と同様に作用するので、請求項１に記載の発明と同様に、重要度の高い画像情報をデジタルカメラの記憶手段に残し、且つデジタルカメラの記憶手段の空き記憶容量をより多く確保することができる。
【発明の効果】
【００２４】
以上説明したように本発明によれば、重要度の高い画像情報をデジタルカメラの記憶手段に残し、且つデジタルカメラの記憶手段の空き記憶容量をより多く確保できる、という優れた効果が得られる。
【発明を実施するための最良の形態】
【００２５】
（第１の実施の形態）
図１を参照して、本実施の形態に係るデジタルカメラ１０の電気系の構成を説明する。
【００２６】
デジタルカメラ１０は、デジタルカメラ１０の全体の制御を司るＣＰＵ（Ｃｅｎｔｒａｌ  Ｐｒｏｃｅｓｓｉｎｇ  Ｕｎｉｔ）１２を備えている。
【００２７】
ＣＰＵ１２は、撮影部１４と接続されている。
【００２８】
撮影部１４は、光学ユニット１６を備えている。光学ユニット１６は、複数枚のレンズを有し、焦点距離の変更（変倍）が可能なズームレンズとして構成され、被写体像を結像させる。なお、光学ユニット１６は、ＣＰＵ１２によりモータ駆動部１８を介して制御される。
【００２９】
また、光学ユニット１６の光軸後方には、ＣＣＤ２０が配置されている。ＣＣＤ２０は、光学ユニット１６で結像された被写体の光信号を光電変換し、アナログ信号に変換する。ＣＣＤ２０はタイミングジェネレータ２２と接続されており、タイミングジェネレータ２２は、ＣＰＵ１２による制御に基づいてＣＣＤ２０を駆動させるためのタイミング信号を生成する。ＣＣＤ２０の出力端はアナログ信号処理部２４と接続され、ＣＣＤ２０が光電変換により生成した被写体に係るアナログ信号は、アナログ信号処理部２４へ送信される。
【００３０】
アナログ信号処理部２４は、相関二重サンプリング回路（以下、「ＣＤＳ」という。）を含んで構成される。ＣＤＳによる相関二重サンプリング処理は、ＣＣＤ２０の出力信号に含まれるノイズ等を軽減することを目的として、ＣＣＤ２０の１画素毎の出力信号に含まれるフィードスルー成分レベルと画素信号成分レベルとの差を演算することにより正確な画素データを得る処理である。アナログ信号処理部２４の出力端はアナログ信号をデジタル信号に変換するアナログ／デジタル変換器（以下、「ＡＤＣ」という。）２６の入力端に接続されている。ＣＤＳにより相関二重サンプリング処理が行われたアナログ信号は、ＡＤＣ２６に送信される。
【００３１】
ＡＤＣ２６は、入力されたアナログ信号をデジタルデータである画像情報に変換する。ＡＤＣ２６の出力端はデジタル信号処理部２８の入力端に接続される。
【００３２】
デジタル信号処理部２８は、所定容量のラインバッファを内蔵し、かつ入力された画像情報を後述するメモリ４６の所定領域に直接記憶させる制御を行うと共に、画像情報に対して各種の画像処理を行う。
【００３３】
また、ＣＰＵ１２は、レリーズボタン、電源スイッチ、モード切替スイッチ、及び十字カーソルボタン等の各種ボタン類及びスイッチ類を備えた撮影部１４と接続されており、操作部３０に対するユーザの操作状態を常時把握することができる。
【００３４】
さらに、ＣＰＵ１２はバス３２を介して、ＬＣＤ（Ｌｉｑｕｉｄ  Ｃｒｙｓｔａｌ  Ｄｉｓｐｌａｙ）インタフェース３４、メモリインタフェース３６、外部メモリインタフェース３８、圧縮・伸張処理回路４０、通信インタフェース４２と接続されている。
【００３５】
ＬＣＤインタフェース３４は、画像情報に基づく画像やメニュー画面等をＬＣＤ４４に表示させるための信号を生成する。
【００３６】
メモリインタフェース３６は、メモリ４６に対するアクセスの制御を行う。メモリ４６は、主として撮影により得られた画像情報等を一時的に記憶する。
【００３７】
外部メモリインタフェース３８は、メモリカード４８をデジタルカメラ１０でアクセス可能とする。メモリカード４８は、可搬式の不揮発性記憶媒体であり、デジタルカメラ１０で生成された画像情報を記憶する。
【００３８】
圧縮・伸張処理回路４０は、所定の圧縮形式で画像情報に対して圧縮処理を施す一方、圧縮処理された画像情報に対して圧縮形式に応じた伸張処理を施す。
【００３９】
通信インタフェース４２は、例えばＵＳＢ（Ｕｎｉｖｅｒｓａｌ  Ｓｅｒｉａｌ  Ｂｕｓ）転送路５０を介してパソコン５２との間で各種データの授受を中継するためのものである。デジタルカメラ１０とパソコン５２とは、ＵＳＢ規格のケーブルで構成されたＵＳＢ転送路５０によって接続され、このＵＳＢ転送路５０を介して相互に各種データの授受可能である。
【００４０】
パソコン５２は、ＣＰＵ５４を備えている。ＣＰＵ５４は、入力された種々のデータに対して計算処理を行い、バス６６を介してＲＯＭ（Ｒｅａｄ  Ｏｎｌｙ  Ｍｅｍｏｒｙ）５６、ＲＡＭ（Ｒａｎｄａｍ  Ａｃｃｅｓｓ  Ｍｅｍｏｒｙ）５８、ＨＤＤ（Ｈａｒｄ  Ｄｉｓｋ  Ｄｒｉｖｅ）６０、入力装置６２、及び通信インタフェース６４と接続されている。
【００４１】
ＣＰＵ５４は、処理に合わせてＲＯＭ５６から各種プログラムを読み出し、ＲＡＭ５８に対しては各種データや各種プログラムの書き込み、読み出しを行う。
【００４２】
ＨＤＤ６０は、デジタルカメラ１０から送信されてきた画像情報や、パソコン５２で作成された種々のデータを記憶する。
【００４３】
通信インタフェース６４は、ＵＳＢ転送路５０を介してデジタルカメラ１０の通信インタフェース４２と接続され、画像データ等のデータの送受信を行う。
【００４４】
入力装置６２は、ユーザによりパソコン５２のＣＰＵ５４に対して各種指示を入力するために操作されるキーボードやマウス等で構成することができる。
【００４５】
なお、デジタルカメラ１０の撮影部１４で取得された画像情報は、図２に模式図として示されるようなＥｘｉｆ（Ｅｘｃｈａｎｇｅａｂｌｅ  Ｉｍａｇｅ  Ｆｉｌｅ  Ｆｏｒｍａｔ）規格の電子化ファイル１００としてメモリカード４８に記憶されても良い。Ｅｘｉｆ規格の電子化ファイル１００は、スタートコード１００Ａ、タグ領域１００Ｂ、サムネイル画像領域１００Ｃ、及び主画像領域１００Ｄで構成されている。タグ領域１００Ｂには、予め設定された各種情報が記憶される。また、主画像領域１００Ｄには、被写体像を示す画像情報が記憶される。
【００４６】
ここで、図３（Ａ）に、デジタルカメラ１０のメモリカード４８に記憶される画像情報を管理するためのファイルリスト１５０の一例を模式図として示す。なお、当該ファイルリスト１５０は、メモリ４６若しくはメモリカード４８に記憶されている。
【００４７】
ファイルリスト１５０は、メモリカード４８に記憶されている画像情報の数、ファイル名、及び画像情報毎の累計表示時間を示すデータが格納されている。累計表示時間とは、メモリカード４８に記憶されている画像情報を、ＬＣＤ４４にサムネイル一覧でなく図３（Ｂ）に示されるように全画面表示させた時間の累計である。ＬＣＤ４４に表示された累計時間が長い画像情報ほど、ユーザにとって重要度が高いと考えられる。
【００４８】
次に、本実施の形態に係る作用を図４及び図５を参照して説明する。
【００４９】
図４は、デジタルカメラ１０のＣＰＵ１２により実行される累計表示時間記録プログラムの処理の流れを示すフローチャートであり、当該プログラムは、メモリカード４８に記憶された画像情報をＬＣＤ４４に再生する再生モードで、デジタルカメラ１０が動作され、画像情報がデジタルカメラのＬＣＤ４４に全画面表示される時にデジタルカメラ１０のＣＰＵ１２により実行される。
【００５０】
まず、ステップ２００で、ＬＣＤ４４に表示される画像情報の表示時間の計時をデジタルカメラ１０のＣＰＵ１２が有する不図示のソフトタイマーによって開始する。
【００５１】
次に、ステップ２０２で、操作部３０等を介してＬＣＤ４４に表示させる画像情報の切替指示が入力されたか否かを判断する。切替指示が入力された場合は、ステップ２０４へ移行する。一方、切替指示が入力されない場合は、ステップ２１０へ移行する。
【００５２】
ステップ２０４では、ＬＣＤ４４に表示されている画像情報の表示時間の計時を終了する。
【００５３】
次に、ステップ２０６で、ＬＣＤ４４に表示されていた画像情報のファイルリスト１５０に記録されている累計表示時間を更新する。これにより、画像情報毎に累計表示時間が更新される。
【００５４】
次に、ステップ２０８で、入力された切替指示に基づいて、ＬＣＤ４４に表示させる画像情報の切り替えを行う。
【００５５】
ステップ２１０は、画像情報の切替指示が入力されなかった場合であり、操作部３０等を介して画像情報の表示終了指示が入力されたか否かを判断する。表示終了指示とは、画像情報の再生モードを終了して被写体の撮影を行う撮影モードに移行する場合等である。表示終了指示が入力された場合は、ステップ２１２へ移行する。一方、表示終了指示が入力されない場合は、ステップ２０２へ移行し、画像情報の切替指示又は表示終了指示が入力されるまで、表示されている画像情報の表示時間を計時し続ける。
【００５６】
ステップ２１２では、ＬＣＤ４４に表示されている画像情報の表示時間の計時を終了する。
【００５７】
次に、ステップ２１４で、ＬＣＤ４４に表示されていた画像情報のファイルリスト１５０に記録されている累計表示時間を更新し、当該プログラムを終了する。
【００５８】
図５は、パソコン５２のＣＰＵ５４により実行される画像情報転送プログラムの処理の流れを示すフローチャートであり、デジタルカメラ１０のメモリカード４８に記憶された画像情報をパソコン５２のＨＤＤ６０に転送するときにパソコン５２のＣＰＵ５４により実行される。
【００５９】
まず、ステップ３００で、デジタルカメラ１０のメモリ４６若しくはメモリカード４８に記憶されているファイルリスト１５０を、ＵＳＢ転送路５０を介して取得する。
【００６０】
次に、ステップ３０２で、パソコン５２がデジタルカメラ１０から受信する画像情報数ｎを取得する。画像情報数ｎは、デジタルカメラ１０のメモリカード４８が記憶している画像情報の数を直接検索することで取得しても良いし、ステップ３００で取得したファイルリスト１５０から取得しても良い。
【００６１】
次に、ステップ３０４で、デジタルカメラ１０のメモリカード４８に記憶されている画像情報ｉをパソコン５２のＨＤＤ６０へ転送する。
【００６２】
次に、ステップ３０６で、画像情報ｉの累計表示時間Ｔｉは、画像情報をデジタルカメラ１０のメモリカード４８に記憶させたままとする保存条件を満たすか否かを判断する。保存条件を満たす場合は、ステップ３１０へ移行する。一方、保存条件を満たさない場合は、ステップ３０８へ移行する。
【００６３】
ここで、保存条件としては、例えば、画像情報の累計表示時間がＸ分以上、メモリカード４８に記憶されている画像情報のうち累計表示時間の長い順から上位Ｙ番内、またはメモリカード４８に記憶されている画像情報のうち累計表示時間の長い順から上位Ｚ％内等が挙げられる。なお、保存条件は、ユーザが予め設定することができるようにしてもよい。
【００６４】
ステップ３０８では、デジタルカメラ１０のメモリカード４８に記憶されている画像情報ｉを削除する。
【００６５】
ステップ３１０では、デジタルカメラ１０のメモリカード４８に記憶されている全ての画像情報に対して転送処理が終了したか否かを判断する。全ての画像情報が転送された場合は、肯定と判断しステップ３１２へ移行する。一方、全ての画像情報が転送されていない場合は、ステップ３０４へ移行し、残りの画像情報に対して転送処理を行う。
【００６６】
ステップ３１２では、ファイルリスト１５０の内容を、例えば図３（Ｃ）に示されるようにデジタルカメラ１０のメモリカード４８に残された画像情報に対応するように更新する。図３（Ｃ）は累計表示時間が１分以上の画像情報をメモリカード４８に残したままとした場合である。このとき、累計表示時間は図３（Ｃ）に示されるようにリセットしても良い。
【００６７】
次に、ステップ３１４で、更新したファイルリスト１５０をデジタルカメラ１０へ転送しメモリ４６又はメモリカード４８に記憶させる。
【００６８】
なお、本実施の形態では、画像情報毎の累計表示時間を示すファイルリスト１５０を設けているが、これに限らず、画像情報がＥｘｉｆ規格の電子化ファイルである場合は、タグ領域１００Ｂに画像情報毎の累計表示時間を適宜記録し、読み出しても良い。
【００６９】
以上説明したように、デジタルカメラ１０のメモリカード４８に記憶された画像情報は、パソコン５２に転送されＨＤＤ６０に記憶されるが、メモリカード４８に記憶された画像情報のうち、ＬＣＤ４４に表示させた累計表示時間の長い画像情報ほど重要度の高い画像情報であると判断されメモリカード４８に残される。
【００７０】
これにより、メモリカード４８に記憶されている画像情報をパソコン５２に転送しても、重要度の高い画像情報のみをデジタルカメラ１０のメモリカード４８に残すことができる。そのため、ユーザは重要度の高い画像情報をデジタルカメラ１０で確認することができる。また、重要度の低い画像情報をメモリカード４８から削除するため、メモリカード４８の空き記憶容量をより多く確保することができる。
（第２の実施の形態）
次に、第２の実施の形態として、デジタルカメラ１０のメモリカード４８に記憶されている画像情報に対して、重要度情報として指示情報（例えば、お気に入りマーク）を付与する場合について説明する。なお、第２の実施の形態に係るデジタルカメラ１０の構成は、第１の実施の形態と同様であるので、その説明を省略する。
【００７１】
お気に入りマークを画像情報に付与する場合は、ユーザが操作部３０を用いて重要度が高い画像情報を選択し、選択された画像情報に対してお気に入りマークを設定する。この操作を受けてデジタルカメラ１０のＣＰＵ１２は、Ｅｘｉｆ規格の画像情報のタグ領域１００Ｂ（図２参照）にお気に入りマークが付加されたことを示す指示情報を記録する。これにより、図６（Ａ）に示されるように、デジタルカメラ１０のＬＣＤ４４にメモリカード４８に記憶されている画像情報をサムネイル表示させた場合に、サムネイル画像の右上に例えばハート型のお気に入りマークが付されて表示される。図６（Ａ）に、４、５、１０番の画像情報にお気に入りマークが設定された状態を示す。
【００７２】
次に、デジタルカメラ１０のメモリカード４８から画像情報をパソコン５２のＨＤＤ６０に転送する場合について説明する。
【００７３】
図７は、パソコン５２のＣＰＵ５４により実行される画像情報転送プログラムの処理の流れを示すフローチャートであり、デジタルカメラ１０のメモリカード４８に記憶された画像情報をパソコン５２のＨＤＤ６０に転送するときにパソコン５２のＣＰＵ５４により実行される。なお、第１の実施の形態にかかる図５のフローチャートと同一のステップは、追加されるステップの前後についてのみ説明し、他の同一のステップについては同一の符号を付して説明を省略する。
【００７４】
ステップ３０４で、デジタルカメラ１０のメモリカード４８に記憶されている画像情報ｉをパソコン５２のＨＤＤ６０へ転送した後に、ステップ４００において、画像情報ｉに
お気に入りマークが設定されているか否かを判断する。画像情報ｉにお気に入りマークが設定されている場合は、ステップ３１０へ移行しメモリカード４８に記憶されている全ての画像情報に対して転送処理が終了したか否かを判断し、転送処理が終了していないと判断した場合はステップ３０４へ移行し、転送処理が終了したと判断した場合は画像情報転送プログラムを終了する。一方、画像情報ｉにお気に入りマークが設定されていない場合は、ステップ３０８へ移行しメモリカード４８に記憶されている画像情報ｉを削除する。
【００７５】
そして、図７に示される画像情報転送処理プログラムが終了した後のデジタルカメラ１０のメモリカード４８に記憶させている画像情報をサムネイル表示させると、図６（Ｂ）に示されるようにお気に入りマークが設定された画像情報（例えば、４、５、１０番）のみが表示される。
【００７６】
以上説明したように、デジタルカメラ１０のメモリカード４８に記憶されている重要度の高い画像情報は、メモリカード４８に残すことを示すお気に入りマークをユーザが操作部３０を用いて設定することができる。これにより、メモリカード４８に記憶されている画像情報をパソコン５２に転送しても、重要度の高い画像情報のみをデジタルカメラ１０のメモリカード４８に残すことができる。そのため、ユーザは重要度の高い画像情報をデジタルカメラ１０で確認することができる。また、重要度の低い画像情報をメモリカード４８から削除するため、メモリカード４８の空き記憶容量をより多く確保することができる。
（第３の実施の形態）
第３の実施の形態では、画像情報に画像情報の重要度を示す点数を付加する場合の形態例について説明する。なお、第２の実施の形態に係るデジタルカメラ１０の構成は、第１の実施の形態と同様であるので、その説明を省略する。
【００７７】
画像情報の重要度を示す点数（おすすめスコア）は、対応する画像情報とその前に取得された画像情報との取得時間間隔、対応する画像情報に対する人物の顔の有無、及び対応する画像情報により示される被写体像のピントのずれの度合の少なくとも一つに基づいてメモリカード４８に記憶された画像情報毎に付加される。
【００７８】
以下に、おすすめスコアの付加についてより具体的に説明する。
【００７９】
おすすめスコアは、取得時間間隔、人物の顔の有無、及びピントのずれの度合各々を点数で表した合計値である。画像情報間の取得時間間隔の短い画像情報ほどユーザにとって重要度の高い画像情報であると考えられ、例えば、取得時間間隔が短いほど高い点数とする。また、人物の顔が含まれる画像情報ほどユーザにとって重要度の高い画像情報であると考えられ、例えば、人物の顔の個数、大きさ、及び正面を向いているか否かを点数で表す。顔の個数が多いほど、顔の大きさが大きいほど、正面を向いている顔が多いほど高い点数が与えられる。また、ピントのずれの度合が少ない画像情報ほどユーザにとって重要度の高い画像情報であると考えられ、例えば、被写体像のエッジを検出してそれに基づいてボケ、ブレを判別しボケ、ブレの少ない画像情報ほどより高い点数とする、画像情報がＥｘｉｆ規格の電子化ファイルである場合は手ぶれ機能のオン、オフを読み出しそれを点数として表したり、オートフォーカスに係る設定値を読み出しそれを点数として表しても良い。
【００８０】
そして、各画像情報の取得時間間隔に応じた点数、人物の顔の有無に応じた点数、及びピントのずれの度合に応じた点数を足し合わせて画像情報毎のおすすめスコアとする。すなわち、おすすめスコアが高い画像情報ほど、ユーザにとって重要な画像情報であると判断される。なお、取得時間間隔の点数、人物の顔の有無の点数、及びピントのずれの度合の点数に異なる係数を乗算して加算することで重み付けしても良い。また、取得時間間隔、人物の顔の有無、及びピントのずれの度合以外の基準を設けおすすめスコアの点数として加えても良い。
【００８１】
次に、デジタルカメラ１０のメモリカード４８から画像情報をパソコン５２のＨＤＤ６０に転送する場合について説明する。
【００８２】
図８は、パソコン５２のＣＰＵ５４により実行される画像情報転送プログラムの処理の流れを示すフローチャートであり、デジタルカメラ１０のメモリカード４８に記憶された画像情報をパソコン５２のＨＤＤ６０に転送するときにパソコン５２のＣＰＵ５４により実行される。なお、第１の実施の形態にかかる図５のフローチャートと同一のステップは、追加されるステップの前後についてのみ説明し、他の同一のステップについては同一の符号を付して説明を省略する。
【００８３】
ステップ３０４で、デジタルカメラ１０のメモリカード４８に記憶されている画像情報ｉをパソコン５２のＨＤＤ６０へ転送した後に、ステップ５００において、画像情報ｉのおすすめスコアを算出する。なお、このおすすめスコアの算出はパソコン５２のＣＰＵ５４で算出せずに、デジタルカメラ１０のＣＰＵ１２で算出しても良い。また、おすすめスコア算出用のハードウェアをデジタルカメラ１０に組み入れ、そこでおすすめスコアの算出をしても良い。さらに、デジタルカメラ１０でおすすめスコアを算出する場合は、おすすめスコアをファイルリスト１５０に書き込むか、画像情報がＥｘｉｆ規格の電子化ファイルである場合は、例えば画像情報毎にタグ領域１００Ｂに書き込むこととしても良い。
【００８４】
次に、ステップ５０２で、画像情報ｉのおすすめスコアが保存条件を満たしているか否かを判断する。ここで保存条件としては、例えば、予め定められた所定の点数以上、メモリカード４８に記憶されている画像情報のおすすめスコアのうち上位Ｘ％以内等が挙げられる。画像情報ｉのおすすめスコアが保存条件を満たしている場合は、ステップ３１０へ移行しメモリカード４８に記憶されている全ての画像情報に対して転送処理が終了したか否かを判断し、転送処理が終了していないと判断した場合はステップ３０４へ移行し、転送処理が終了したと判断した場合は画像情報転送プログラムを終了する。一方、画像情報ｉのおすすめスコアが保存条件を満たしていない場合は、ステップ３０８へ移行しメモリカード４８に記憶されている画像情報ｉを削除する。
【００８５】
以上説明したように、パソコン５２若しくはデジタルカメラ１０で画像情報毎におすすめスコアを付加することで、デジタルカメラ１０のメモリカード４８に記憶されている画像情報のうちユーザにとって重要と思われるものをメモリカード４８に残すことができる。これにより、メモリカード４８に記憶されている画像情報をパソコン５２に転送しても、重要度の高い画像情報のみをデジタルカメラ１０のメモリカード４８に残すことができ、メモリカード４８の空き記憶容量をより多く確保することができる。そしてユーザは、重要度の高い画像情報をデジタルカメラ１０で確認することができる。
（第４の実施の形態）
次に、第４の実施の形態として、デジタルカメラ１０のメモリカード４８に残される画像情報が、画像サイズを縮小して記憶される場合について説明する。なお、第４の実施の形態に係るデジタルカメラ１０の構成は、第１の実施の形態と同様であるので、その説明を省略する。
【００８６】
次に、デジタルカメラ１０のメモリカード４８から画像情報をパソコン５２のＨＤＤ６０に転送する場合に、画像サイズを縮小してデジタルカメラ１０のメモリカード４８に画像情報を記憶する場合について図９を参照して説明する。
【００８７】
図９は、パソコン５２のＣＰＵ５４により実行される画像情報転送プログラムの処理の流れを示すフローチャートであり、デジタルカメラ１０のメモリカード４８に記憶された画像情報をパソコン５２のＨＤＤ６０に転送するときにパソコン５２のＣＰＵ５４により実行される。なお、第１の実施の形態にかかる図５のフローチャートと同一のステップは、追加されるステップの前後についてのみ説明し、他の同一のステップについては同一の符号を付して説明を省略する。
【００８８】
ステップ３０４で、デジタルカメラ１０のメモリカード４８に記憶されている画像情報ｉをパソコン５２のＨＤＤ６０へ転送した後に、ステップ６００においてメモリカード４８に記憶されている画像情報ｉを削除する。
【００８９】
次に、ステップ６０２で、画像情報ｉが、デジタルカメラ１０のメモリカード４８に残される保存条件を満たしているか否かを判断する。当該ステップは、第１の実施の形態の図５のフローチャートにおけるステップ３０６、第２の実施の形態の図７のフローチャートにおけるステップ４００、及び第３の実施の形態の図８のフローチャートにおけるステップ５０２に対応する。保存条件を満たすと判断した場合は、ステップ６０４へ移行する。一方、保存条件を満たさないと判断した場合は、ステップ３１０へ移行し、メモリカード４８に記憶されている全ての画像情報に対して転送処理が終了したか否かを判断し、転送処理が終了していないと判断した場合はステップ３０４へ移行し、転送処理が終了したと判断した場合は画像情報転送プログラムを終了する。
【００９０】
ステップ６０４では、画像情報ｉの複製である画像情報ｉ’を生成し、パソコン５２のＲＡＭ５８に一時的に記憶させる。
【００９１】
次に、ステップ６０６で、ＬＣＤ４４の画像表示サイズが例えばＶＧＡサイズ（６４０×４８０画素）の場合は、画図情報ｉ’をＶＧＡサイズに縮小する。なお、縮小後の画像サイズは、ＶＧＡサイズに限らずＬＣＤ４４に表示するのに十分な大きさであればよい。
【００９２】
次に、ステップ６０８で、画図情報ｉ’をパソコン５２のＲＡＭ５８からデジタルカメラ１０のメモリカード４８に転送する。
【００９３】
次に、ステップ６１０で、画図情報ｉ’をパソコン５２のＲＡＭ５８から削除し、ステップ３１０へ移行し、転送処理が終了したと判断した場合は画像情報転送プログラムを終了する。
【００９４】
なお、本実施の形態を第１の実施の形態に対応させる場合は、ステップ３１０の後に、図５に示されるステップ３１２とステップ３１４とを組み入れる。
【００９５】
以上説明したように、第４の実施の形態によると、デジタルカメラ１０のメモリカード４８に残したままとする重要度の高い画像情報を、ＬＣＤ４４に表示させるのに十分な大きさに縮小するため、メモリカード４８に残しておく画像情報のデータサイズを小さくすることができ、画像情報を縮小しない場合に比べメモリカード４８の空き記憶容量をより多く確保することができる。また、画像サイズを小さくすることで、例えばＬＣＤ４４にコマ送りで画像を表示させる場合に切り替えに要する時間を短くすることができる。
（第５の実施の形態）
第５の実施の形態では、デジタルカメラ１０のメモリカード４８に残される重要度の高い画像情報にメモリカード４８から削除されないようにプロテクトをかける形態例について説明する。なお、第５の実施の形態に係るデジタルカメラ１０の構成は、第１の実施の形態と同様であるので、その説明を省略する。
【００９６】
図１０は、パソコン５２のＣＰＵ５４により実行される画像情報転送プログラムの処理の流れを示すフローチャートであり、デジタルカメラ１０のメモリカード４８に記憶された画像情報をパソコン５２のＨＤＤ６０に転送するときにパソコン５２のＣＰＵ５４により実行される。なお、第１の実施の形態にかかる図５のフローチャートと同一のステップは、追加されるステップの前後についてのみ説明し、他の同一のステップについては同一の符号を付して説明を省略する。
【００９７】
ステップ３０４で、デジタルカメラ１０のメモリカード４８に記憶されている画像情報ｉをパソコン５２のＨＤＤ６０へ転送した後に、ステップ７００において、画像情報ｉに
お気に入りマークが設定されているか否かを判断する。当該ステップは、第１の実施の形態の図５のフローチャートにおけるステップ３０６、第２の実施の形態の図７のフローチャートにおけるステップ４００、及び第３の実施の形態の図８のフローチャートにおけるステップ５０２に対応する。保存条件を満たすと判断した場合は、ステップ７０２へ移行する。一方、保存条件を満たさないと判断した場合は、ステップ３０８へ移行し、メモリカード４８に記憶されている画像情報ｉを削除する。
【００９８】
ステップ７０２では、デジタルカメラ１０のメモリカード４８に記憶されている画像情報ｉにプロテクトをかけステップ３１０へ移行し、メモリカード４８に記憶されている全ての画像情報に対して転送処理が終了したか否かを判断し、転送処理が終了していないと判断した場合はステップ３０４へ移行し、転送処理が終了したと判断した場合は画像情報転送プログラムを終了する。
【００９９】
なお、本実施の形態を第１の実施の形態に用いる場合は、ステップ３１０の後に、図５に示されるステップ３１２とステップ３１４とを組み入れる。
【０１００】
以上説明したように、第５の実施の形態によると、デジタルカメラ１０のメモリカード４８に残される重要度の高い画像情報にプロテクトをかけるため、当該プロテクトを解除しない限りメモリカード４８から削除されることは無く、例えばユーザが間違えて重要度の高い画像情報をメモリカード４８から削除してしまうことを防止することができる。
【０１０１】
なお、上記各実施の形態では、デジタルカメラ１０のメモリカード４８に記憶されている画像情報のうち、保存条件を満たさない画像情報の削除処理をパソコン５２のＣＰＵ５４で行うものとしているが、デジタルカメラ１０が備えるＣＰＵ１２で行うものとしても良い。
【０１０２】
この場合、第１の実施の形態では、デジタルカメラ１０のＣＰＵ１２は、メモリカード４８からパソコン５２のＨＤＤ６０へ転送する画像情報数ｎを取得した後、メモリカード４８に記憶されている画像情報をＨＤＤ６０へ転送する。そして、ファイルリスト１５０を参照して各画像情報の累計表示時間は保存条件を満たすか否かを判断し、保存条件を満たさない画像情報をメモリカード４８から削除し、ファイルリスト１５０の内容を更新する。
【０１０３】
また、第２の実施の形態では、デジタルカメラ１０のＣＰＵ１２は、メモリカード４８からパソコン５２のＨＤＤ６０へ転送する画像情報数ｎを取得した後、メモリカード４８に記憶されている画像情報をＨＤＤ６０へ転送する。そして、各画像情報にお気に入りマークが設定されているか否かを判断し、お気に入りマークが設定されていない画像情報をメモリカード４８から削除する。
【０１０４】
さらに、第３の実施の形態では、デジタルカメラ１０のＣＰＵ１２は、メモリカード４８からパソコン５２のＨＤＤ６０へ転送する画像情報数ｎを取得した後、メモリカード４８に記憶されている画像情報をＨＤＤ６０へ転送する。そして、各画像情報のおすすめスコアは保存条件を満たすか否かを判断し、保存条件を満たさない画像情報をメモリカード４８から削除する。
【０１０５】
また、第４の実施の形態では、デジタルカメラ１０のＣＰＵ１２が、メモリカード４８に残す画像情報の画像サイズを縮小する。
【０１０６】
さらに、第５の実施の形態では、デジタルカメラ１０のＣＰＵ１２が、メモリカード４８に残される画像情報にメモリカード４８から削除されないようにプロテクトをかける。
【図面の簡単な説明】
【０１０７】
【図１】デジタルカメラとデジタルデジタルカメラが接続されるパソコンとの概略構成を示すブロック図である。
【図２】Ｅｘｉｆ規格の電子化ファイルとされた画像情報の模式図である。
【図３】第１の実施の形態に係るデジタルカメラのメモリカードに記憶される画像情報を管理するためのファイルリストの模式図の一例である。
【図４】第１の実施の形態に係るデジタルカメラのＣＰＵにより実行される累計表示時間記録プログラムの処理の流れを示すフローチャートである。
【図５】第１の実施の形態に係るパソコンのＣＰＵにより実行される画像情報転送プログラムの処理の流れを示すフローチャートである。
【図６】第２の実施の形態に係るお気に入りマークが設定された画像情報をＬＣＤにサムネイル表示させた場合のデジタルカメラの外観図である。
【図７】第２の実施の形態に係るパソコンのＣＰＵにより実行される画像情報転送プログラムの処理の流れを示すフローチャートである。
【図８】第３の実施の形態に係るパソコンのＣＰＵにより実行される画像情報転送プログラムの処理の流れを示すフローチャートである。
【図９】第４の実施の形態に係るパソコンのＣＰＵにより実行される画像情報転送プログラムの処理の流れを示すフローチャートである。
【図１０】第５の実施の形態に係るパソコンのＣＰＵにより実行される画像情報転送プログラムの処理の流れを示すフローチャートである。
【符号の説明】
【０１０８】
１０    デジタルカメラ
１２    ＣＰＵ（重要度取得手段）
１４    撮影部（撮影手段）
４２    通信インタフェース（出力手段）
４４    ＬＣＤ（表示手段）
４８    メモリカード（第１の記憶手段）
５２    パソコン（情報処理装置）
５４    ＣＰＵ（制御手段）
６０    ＨＤＤ（第１の記憶手段）
６４    通信インタフェース（入力手段）
【図１】
2008244873.tif 000003
【図２】
2008244873.tif 000004
【図３】
2008244873.tif 000005
【図４】
2008244873.tif 000006
【図５】
2008244873.tif 000007
【図６】
2008244873.tif 000008
【図７】
2008244873.tif 000009
【図８】
2008244873.tif 000010
【図９】
2008244873.tif 000011
【図１０】
2008244873.tif 000012